【手続補正書】
【提出日】平成30年8月15日(2018.8.15)
【手続補正１】
【補正対象書類名】特許請求の範囲
【補正対象項目名】全文
【補正方法】変更
【補正の内容】
【特許請求の範囲】
【請求項１】
ワイヤレスネットワークにおいてスケジューリングリクエスト（ＳＲ）を通信するための、ユーザ機器（ＵＥ）によって実施される方法であって、
アップリンクおよびダウンリンク通信間の送信時間間隔（ＴＴＩ）の動的切り替えを可能にするフレーム構造を使用して、ネットワークエンティティと通信することと、
前記フレーム構造に少なくとも部分的に基づいて、アップリンク通信のために構成された前記ＴＴＩの１つ以上において、前記ネットワークエンティティへのＳＲ送信のために少なくとも１つのＳＲモードを選択することと、
前記少なくとも１つのＳＲモードに少なくとも部分的に基づいて、アップリンク通信のために構成された前記１つ以上のＴＴＩのうちの少なくとも１つのアップリンクＴＴＩにおいて、前記ネットワークエンティティにＳＲを送信することと
を備える、方法。
【請求項２】
前記ＴＴＩは、１つ以上の直交周波数分割多重シンボルに対応する、請求項１に記載の方法。
【請求項３】
１つ以上のＳＲモードを特定する前記ネットワークエンティティからの構成を受信することをさらに備え、ここにおいて、前記少なくとも１つのＳＲモードを選択することは、前記構成に基づいて、前記１つ以上のＳＲモードから前記少なくとも１つのＳＲモードを選択することを備える、請求項１に記載の方法。
【請求項４】
前記少なくとも１つのＳＲモードは、前記少なくとも１つのアップリンクＴＴＩにおける１つ以上の他の送信と前記ＳＲを多重化するための非周期的なＳＲモードを含む、請求項１に記載の方法。
【請求項５】
前記１つ以上の他の送信は、前記少なくとも１つのアップリンクＴＴＩにおけるハイブリッド自動再送／要求（ＨＡＲＱ）送信またはチャネル状態情報（ＣＳＩ）送信のうちの少なくとも１つを含む、請求項４に記載の方法。
【請求項６】
前記少なくとも１つのＳＲモードは、前記少なくとも１つのアップリンクＴＴＩを含むアップリンクＴＴＩとして専用である前記ＴＴＩの一部において前記ＳＲを周期的に送信するための周期的なＳＲモードを含む、請求項１に記載の方法。
【請求項７】
前記少なくとも１つのＳＲモードは、前記少なくとも１つのアップリンクＴＴＩを含む、アップリンクＴＴＩまたはダウンリンク／アップリンクＴＴＩとして構成可能な前記ＴＴＩの一部において前記ＳＲを送信するための日和見的なＳＲモードを含む、請求項１に記載の方法。
【請求項８】
前記ＴＴＩの前記一部の少なくとも１つにおいて、前記ＳＲの以前の送信をマスキングすることをさらに備え、ここにおいて、前記ＴＴＩの前記一部の前記少なくとも１つは、ダウンリンクＴＴＩとして構成され、前記ＳＲの前記以前の送信をマスキングすることは、前記ＴＴＩで前記ＳＲを送信することを控えること、別のＴＴＩで送信するために前記ＳＲを保留すること、および前記ＴＴＩで低いまたはＮＵＬＬ電力を有する前記ＳＲを送信することのうちの１つを含む、請求項７に記載の方法。
【請求項９】
前記ＳＲを送信することは、ある時間の期間内の、前記ＳＲの繰り返された送信を回避することを可能にするＳＲ禁止タイマに少なくとも部分的に基づく、請求項１に記載の方法。
【請求項１０】
前記少なくとも１つのアップリンクＴＴＩにおいて、前記ＳＲとともに競合ベースのリソースバッファステータスを送信することをさらに備える、請求項１に記載の方法。
【請求項１１】
前記ＳＲは、前記ネットワークエンティティを用いて確立された複数のコンポーネントキャリアのうちの１つに対応する、請求項１に記載の方法。
【請求項１２】
前記ＴＴＩよりも長い持続時間の別のＴＴＩを利用する前記複数のコンポーネントキャリアのうちの別の１つに関連付けられた前記ネットワークエンティティに、別のＳＲを送信することをさらに備える、請求項１１に記載の方法。
【請求項１３】
前記複数のコンポーネントキャリアのうちの前記１つのための前記ＳＲを送信することは、前記複数のコンポーネントキャリアのうちの前記１つを介して送信されるデータについての１つ以上のレイテンシパラメータに少なくとも部分的に基づく、請求項１１に記載の方法。
【請求項１４】
ワイヤレスネットワークにおいてスケジューリングリクエスト（ＳＲ）を通信するためのユーザ機器であって、
アップリンクおよびダウンリンク通信間の送信時間間隔（ＴＴＩ）の動的切り替えを可能にするフレーム構造を使用して、ネットワークエンティティと通信するための手段と、  前記フレーム構造に少なくとも部分的に基づいて、アップリンク通信のために構成された前記ＴＴＩの１つ以上において、前記ネットワークエンティティへのＳＲ送信のために少なくとも１つのＳＲモードを選択するための手段と、
前記少なくとも１つのＳＲモードに少なくとも部分的に基づいて、アップリンク通信のために構成された前記１つ以上のＴＴＩのうちの少なくとも１つのアップリンクＴＴＩにおいて、前記ネットワークエンティティにＳＲを送信するための手段と
を備える、ユーザ機器。
【請求項１５】
実行されたときに請求項１〜１３のいずれか一項に記載の方法をコンピュータに行わせる、コンピュータ実行可能なコードを備える、コンピュータ読取可能な記憶媒体。
【手続補正２】
【補正対象書類名】明細書
【補正対象項目名】００８９
【補正方法】変更
【補正の内容】
【００８９】
[0098]  先の説明は、当業者に、本明細書に説明された様々な態様の実現を可能にさせるために提供されている。これらの態様への様々な修正は、当業者に容易に明らかとなり、本明細書に定義された一般的な原理は、他の態様に適用され得る。従って、請求項は、本明細書に示される態様に限定されことが意図されるものではなく、請求項の文言と矛盾しない最大範囲のものであると認められるべきであり、ここにおいて、単数の要素への参照は、そのように明確に記載されていない限り、「１つおよび１つのみ」を意味するのではなく、むしろ「１つ以上」を意味することが意図されている。そうでないと具体的に記載されない限り、「いくつかの」という用語は、１つ以上を指す。当業者に対して既知である、あるいは後に既知となる本明細書で説明される様々な態様の要素に対する全ての構造的および機能的な均等物は、参照によって本明細書に明確に組み込まれ、請求項によって包含されることが意図される。さらに、本明細書で開示されたものはどれも、そのような開示が請求項で明示的に記載されているかどうかに関わらず公共に献呈されることが意図されるものではない。要素が「〜のための手段」というフレーズを使用して明確に記載されていない限り、どの請求項の要素もミーンズプラスファンクションとして解釈されるべきではない。
以下に、本願の出願当初の特許請求の範囲に記載された発明を付記する。
［Ｃ１］
ワイヤレスネットワークにおいてスケジューリングリクエスト（ＳＲ）を通信するための方法であって、
アップリンクおよびダウンリンク通信間の送信時間間隔（ＴＴＩ）の動的切り替えを可能にするフレーム構造を使用して、ネットワークエンティティと通信することと、
前記フレーム構造に少なくとも部分的に基づいて、アップリンク送信のために構成された前記ＴＴＩの１つ以上において、前記ネットワークエンティティへのＳＲ送信のために少なくとも１つのＳＲモードを選択することと、
前記少なくとも１つのＳＲモードに少なくとも部分的に基づいて、アップリンク通信のために構成された前記１つ以上のＴＴＩのうちの少なくとも１つのアップリンクＴＴＩにおいて、前記ネットワークエンティティにＳＲを送信することと
を備える、方法。
［Ｃ２］
前記ＴＴＩは、１つ以上の直交周波数分割多重シンボルに対応する、Ｃ１に記載の方法。
［Ｃ３］
１つ以上のＳＲモードを特定する前記ネットワークエンティティからの構成を受信することをさらに備え、ここにおいて、前記少なくとも１つのＳＲモードを選択することは、前記構成に基づいて、前記１つ以上のＳＲモードから前記少なくとも１つのＳＲモードを選択することを備える、Ｃ１に記載の方法。
［Ｃ４］
前記少なくとも１つのＳＲモードは、前記少なくとも１つのアップリンクＴＴＩにおける１つ以上の他の送信と前記ＳＲを多重化するための非周期的なＳＲモードを含む、Ｃ１に記載の方法。
［Ｃ５］
前記１つ以上の他の送信は、前記少なくとも１つのアップリンクＴＴＩにおけるハイブリッド自動再送／要求（ＨＡＲＱ）送信またはチャネル状態情報（ＣＳＩ）送信のうちの少なくとも１つを含む、Ｃ４に記載の方法。
［Ｃ６］
前記少なくとも１つのＳＲモードは、前記少なくとも１つのアップリンクＴＴＩを含むアップリンクＴＴＩとして専用である前記ＴＴＩの一部において前記ＳＲを周期的に送信するための周期的なＳＲモードを含む、Ｃ１に記載の方法。
［Ｃ７］
前記少なくとも１つのＳＲモードは、前記少なくとも１つのアップリンクＴＴＩを含む、アップリンクＴＴＩまたはダウンリンク／アップリンクＴＴＩとして構成可能な前記ＴＴＩの一部において前記ＳＲを送信するための日和見的なＳＲモードを含む、Ｃ１に記載の方法。
［Ｃ８］
前記ＴＴＩの前記一部の少なくとも１つにおいて、前記ＳＲの以前の送信をマスキングすることをさらに備え、ここにおいて、前記ＴＴＩの前記一部の前記少なくとも１つは、ダウンリンクＴＴＩとして構成される、Ｃ７に記載の方法。
［Ｃ９］
前記ＳＲを送信することは、ある時間の期間内の、前記ＳＲの繰り返された送信を回避することを可能にするＳＲ禁止タイマに少なくとも部分的に基づく、Ｃ１に記載の方法。
［Ｃ１０］
前記少なくとも１つのアップリンクＴＴＩにおいて、前記ＳＲとともに競合ベースのリソースバッファステータスを送信することをさらに備える、Ｃ１に記載の方法。
［Ｃ１１］
前記ＳＲは、前記ネットワークエンティティを用いて確立された複数のコンポーネントキャリアのうちの１つに対応する、Ｃ１に記載の方法。
［Ｃ１２］
前記ＴＴＩよりも長い持続時間の別のＴＴＩを利用する前記複数のコンポーネントキャリアのうちの別の１つに関連付けられた前記ネットワークエンティティに、別のＳＲを送信することをさらに備える、Ｃ１１に記載の方法。
［Ｃ１３］
前記複数のコンポーネントキャリアのうちの前記１つに前記ＳＲを送信することは、前記複数のコンポーネントキャリアのうちの前記１つを介して送信されるデータについての１つ以上のレイテンシパラメータに少なくとも部分的に基づく、Ｃ１１に記載の方法。
［Ｃ１４］
ワイヤレスネットワークにおいてスケジューリングリクエスト（ＳＲ）を通信するためのユーザ機器であって、
トランシーバと、
前記ワイヤレスネットワークにおいて、信号を通信するためのバスを介して前記トランシーバと通信可能に結合された少なくとも１つのプロセッサと、
前記バスを介して、前記少なくとも１つのプロセッサおよび／または前記トランシーバと通信可能に結合されたメモリと、
を備え、
ここにおいて、前記少なくとも１つのプロセッサおよび前記メモリは、
前記トランシーバを介して、アップリンクおよびダウンリンク通信間の送信時間間隔（ＴＴＩ）の動的切り替えを可能にするフレーム構造を使用して、ネットワークエンティティと通信することと、
前記フレーム構造に少なくとも部分的に基づいて、アップリンク送信のために構成された前記ＴＴＩの１つ以上において、前記ネットワークエンティティへのＳＲ送信のために少なくとも１つのＳＲモードを選択することと、
前記トランシーバを介して、前記少なくとも１つのＳＲモードに少なくとも部分的に基づいて、アップリンク通信のために構成された前記１つ以上のＴＴＩのうちの少なくとも１つのアップリンクＴＴＩにおいて、前記ネットワークエンティティにＳＲを送信することと
を行うように動作可能である、ユーザ機器。
［Ｃ１５］
前記ＴＴＩは、１つ以上の直交周波数分割多重シンボルに対応する、Ｃ１４に記載のユーザ機器。
［Ｃ１６］
前記少なくとも１つのプロセッサおよび前記メモリは、１つ以上のＳＲモードを特定する前記ネットワークエンティティからの構成を受信することと、前記構成に基づいて、前記１つ以上のＳＲモードから前記少なくとも１つのＳＲモードを選択することとを行うようにさらに動作可能である、Ｃ１４に記載のユーザ機器。
［Ｃ１７］
前記少なくとも１つのＳＲモードは、前記少なくとも１つのアップリンクＴＴＩにおける１つ以上の他の送信と前記ＳＲを多重化するための非周期的なＳＲモードを含む、Ｃ１４に記載のユーザ機器。
［Ｃ１８］
前記１つ以上の他の送信は、前記少なくとも１つのアップリンクＴＴＩにおけるハイブリッド自動再送／要求（ＨＡＲＱ）送信またはチャネル状態情報（ＣＳＩ）送信のうちの少なくとも１つを含む、Ｃ１７に記載のユーザ機器。
［Ｃ１９］
前記少なくとも１つのＳＲモードは、前記少なくとも１つのアップリンクＴＴＩを含むアップリンクＴＴＩとして専用である前記ＴＴＩの一部において前記ＳＲを周期的に送信するための周期的なＳＲモードを含む、Ｃ１４に記載のユーザ機器。
［Ｃ２０］
前記少なくとも１つのＳＲモードは、前記少なくとも１つのアップリンクＴＴＩを含む、アップリンクＴＴＩまたはダウンリンク／アップリンクＴＴＩとして構成可能な前記ＴＴＩの一部において前記ＳＲを送信するための日和見的なＳＲモードを含む、Ｃ１４に記載のユーザ機器。
［Ｃ２１］
前記少なくとも１つのプロセッサおよび前記メモリは、前記ＴＴＩの前記一部の少なくとも１つにおいて、前記ＳＲの以前の送信をマスキングするようにさらに動作可能であり、前記ＴＴＩの前記一部の前記少なくとも１つは、ダウンリンクＴＴＩとして構成される、Ｃ２０に記載のユーザ機器。
［Ｃ２２］
前記少なくとも１つのプロセッサおよび前記メモリは、ある時間の期間内の、前記ＳＲの繰り返された送信を回避することを可能にするＳＲ禁止タイマに少なくとも部分的に基づいて、前記ＳＲを送信するように動作可能である、Ｃ１４に記載のユーザ機器。
［Ｃ２３］
前記少なくとも１つのプロセッサおよび前記メモリは、前記少なくとも１つのアップリンクＴＴＩにおいて、前記ＳＲとともに競合ベースのリソースバッファステータスを送信するように動作可能である、Ｃ１４に記載のユーザ機器。
［Ｃ２４］
前記ＳＲは、前記ネットワークエンティティを用いて確立された複数のコンポーネントキャリアのうちの１つに対応する、Ｃ１４に記載のユーザ機器。
［Ｃ２５］
前記少なくとも１つのプロセッサおよび前記メモリは、前記ＴＴＩよりも長い持続時間の別のＴＴＩを利用する前記複数のコンポーネントキャリアのうちの別の１つに関連付けられた前記ネットワークエンティティに、別のＳＲを送信するように構成可能である、Ｃ２４に記載のユーザ機器。
［Ｃ２６］
前記少なくとも１つのプロセッサおよび前記メモリは、前記複数のコンポーネントキャリアのうちの前記１つを介して送信されるデータについての１つ以上のレイテンシパラメータに少なくとも部分的に基づいて、前記複数のコンポーネントキャリアのうちの前記１つに前記ＳＲを送信するように構成可能である、Ｃ２４に記載のユーザ機器。
［Ｃ２７］
ワイヤレスネットワークにおいてスケジューリングリクエスト（ＳＲ）を通信するためのユーザ機器であって、
アップリンクおよびダウンリンク通信間の送信時間間隔（ＴＴＩ）の動的切り替えを可能にするフレーム構造を使用して、ネットワークエンティティと通信するための手段と、  前記フレーム構造に少なくとも部分的に基づいて、アップリンク送信のために構成された前記ＴＴＩの１つ以上において、前記ネットワークエンティティへのＳＲ送信のために少なくとも１つのＳＲモードを選択するための手段と、
前記少なくとも１つのＳＲモードに少なくとも部分的に基づいて、アップリンク通信のために構成された前記１つ以上のＴＴＩのうちの少なくとも１つのアップリンクＴＴＩにおいて、前記ネットワークエンティティにＳＲを送信するための手段と
を備える、ユーザ機器。
［Ｃ２８］
前記ＴＴＩは、１つ以上の直交周波数分割多重シンボルに対応する、Ｃ２７に記載のユーザ機器。
［Ｃ２９］
ワイヤレスネットワークにおいてスケジューリングリクエスト（ＳＲ）を通信するためのコンピュータ実行可能なコードを備える、コンピュータ読取可能な記憶媒体であって、前記コードは、
アップリンクおよびダウンリンク通信間の送信時間間隔（ＴＴＩ）の動的切り替えを可能にするフレーム構造を使用して、ネットワークエンティティと通信するためのコードと、
前記フレーム構造に少なくとも部分的に基づいて、アップリンク送信のために構成された前記ＴＴＩの１つ以上において、前記ネットワークエンティティへのＳＲ送信のために少なくとも１つのＳＲモードを選択するためのコードと、
前記少なくとも１つのＳＲモードに少なくとも部分的に基づいて、アップリンク通信のために構成された前記１つ以上のＴＴＩのうちの少なくとも１つのアップリンクＴＴＩにおいて、前記ネットワークエンティティにＳＲを送信するためのコードと
を備える、コンピュータ読取可能な記憶媒体。
［Ｃ３０］
前記ＴＴＩは、１つ以上の直交周波数分割多重シンボルに対応する、Ｃ２９に記載のコンピュータ読取可能な記憶媒体。